(57)【特許請求の範囲】
【請求項１】
内部に機械の収容空間が形成された筐体と、該筐体に取付けられ前記収容空間内に収容された機械を操作する操作パネルとを備えてなる操作パネル付き筐体において、
前記操作パネルは、表面側と裏面側で重ねた重なり代が長さ方向に調整可能な複数のパネル部材により構成し、該各パネル部材の裏側には、該各パネル部材を固定する補強板を取付ける構成としたことを特徴とする操作パネル付き筐体。
【請求項２】
前記補強板は、前記筐体に対応した長さ寸法を有してなる請求項１に記載の操作パネル付き筐体。
【請求項３】
前記複数のパネル部材を所望の長さ寸法に合わせた状態で、前記各パネル部材と補強板とを一緒に固定する構成としてなる請求項１または２に記載の操作パネル付き筐体。
【請求項４】
前記各パネル部材は、樹脂材料を用いて形成してなる請求項１，２または３に記載の操作パネル付き筐体。
【発明の詳細な説明】
【技術分野】
【０００１】
本発明は、例えば圧縮機等の機械を内部に収容する筐体に関し、特に収容した機械を操作するための操作パネルが設けられた操作パネル付き筐体に関する。
【背景技術】
【０００２】
一般に、屋内で使用される圧縮機にあっては、該圧縮機の運転時に生じる騒音を低減すべく当該圧縮機を筐体内に収容したパッケージ型圧縮機が広く用いられている。
【０００３】
ここで、パッケージ型圧縮機は、通常、薄肉な金属板等により形成され内部が収容空間となった筐体と、該筐体内に収容された圧縮機と、該圧縮機により圧縮された空気を貯蔵するタンクとにより大略構成されている。そして、筐体の前面部には、該筐体内に収容した圧縮機を外部から操作する操作スイッチ、操作状況を表示する表示器等をパネル部材に装備した操作パネルが取付けられ、これら筐体と操作パネルとによって操作パネル付き筐体が構成されている（例えば、特許文献１参照）。
【０００４】
【特許文献１】特開２００１−２８４８３２号公報
【発明の開示】
【発明が解決しようとする課題】
【０００５】
ここで、パッケージ型圧縮機には、圧縮能力、タンク容量等が異なる多くの種類が用意されている。このため、パッケージ型圧縮機では、収容する圧縮機、タンクに応じて大きさの異なる筐体が多数種類用意されている。一方、操作パネルの操作スイッチ、表示器等は、圧縮機、タンクの大きさが異なる場合でも運転操作は変わらないために、ほぼ同じものが用いられている。
【０００６】
しかし、パッケージ型圧縮機では、特許文献１のように、筐体の全幅に合せて操作パネルの長さ寸法を設定している場合がある。この場合には、筐体の大きさ（幅寸法）が異なる毎に操作パネルのパネル部材を用意しなくてはならない。これにより、従来技術では、長さ寸法が異なる多くのパネル部材を用意しているために、組立作業性の低下、誤組付けの発生、製造コストの上昇等を招いてしまうという問題がある。
【０００７】
本発明は上述した従来技術の問題に鑑みなされたもので、本発明の目的は、大きさの異なる筐体に対して共通の操作パネルを取付けることにより、組立作業性等を向上できるようにした操作パネル付き筐体を提供することにある。
【課題を解決するための手段】
【０００８】
請求項１の発明による操作パネル付き筐体は、内部に機械の収容空間が形成された筐体と、該筐体に取付けられ前記収容空間内に収容された機械を操作する操作パネルとを備えてなる。
【０００９】
そして、上述した課題を解決するために、請求項１の発明が採用する構成の特徴は、前記操作パネルは、表面側と裏面側で重ねた重なり代が長さ方向に調整可能な複数のパネル部材により構成し、該各パネル部材の裏側には、該各パネル部材を固定する補強板を取付ける構成としたことにある。
【００１０】
請求項２の発明によると、前記補強板は、前記筐体に対応した長さ寸法を有したことにある。
【００１１】
請求項３の発明によると、前記複数のパネル部材を所望の長さ寸法に合わせた状態で、前記各パネル部材と補強板とを一緒に固定する構成としたことにある。
【００１２】
請求項４の発明によると、前記各パネル部材は、樹脂材料を用いて形成したことにある。
【発明の効果】
【００１３】
請求項１の発明によれば、隣合うパネル部材の表面側と裏面側とを重ね合わせ、このときの重なり代を長さ方向に調整することにより、複数のパネル部材による長さ寸法を適宜に変更することができる。そして、所望の長さ寸法に設定した各パネル部材の裏側に補強板を取付けることにより、各パネル部材を所望の長さ寸法で固定することができる。
【００１４】
この結果、操作パネルの長さ寸法が異なる場合でも、パネル部材の重なり代を調整することにより所望の長さ寸法を容易に得ることができる。これにより、取付ける筐体の大きさが異なる場合でも、パネル部材を複数種類用意する必要がなく、部品点数を削減することができるから、組立作業性の向上、製造コストの削減を図ることができる。
【００１５】
請求項２の発明によれば、補強板を筐体に対応した長さ寸法としているから、補強板を各パネル部材の裏側に取付けることにより、該各パネル部材の全長を筐体に対応した長さ寸法に合せることができる。これにより、重なり代の調整作業を簡単にかつ正確に行うことができ、作業性を向上することができる。
【００１６】
請求項３の発明によれば、複数のパネル部材を所望の長さ寸法に合わせた状態では、前記各パネル部材間を固定でき、さらに各パネル部材に補強板を取付けて固定することができる。これにより、各パネル部材の重なり部位を密着させることができ、また振動による接触音を防止することができる。また、補強版により各パネル部材の強度を高めることができる。
【００１７】
請求項４の発明によれば、各パネル部材を樹脂材料を用いて形成しているから、例えば操作スイッチ、表示器等を取付けるための取付穴等を容易に設けることができる。また、成型時に着色料を混ぜることにより容易に着色することができる。
【発明を実施するための最良の形態】
【００１８】
以下、本発明の実施の形態に係る操作パネル付き筐体を、パッケージ型圧縮機に適用した場合を例に挙げ、図１ないし図１１を参照しつつ詳細に説明する。
【００１９】
本実施の形態は、図１に示す大型のパッケージ型圧縮機１に設けられる長尺仕様の操作パネル１１と、図９に示す小型のパッケージ型圧縮機２１に設けられる短尺仕様の操作パネル３１とを、長さ寸法が調整可能な共通の部品を用いて構成したことにある。
【００２０】
まず、内部に大きな圧縮機３、タンク５等を収容するために大きな筐体２を備えた大型のパッケージ型圧縮機１について、図１ないし図８を用いて説明する。
【００２１】
図１において、１はパッケージ型圧縮機で、該パッケージ型圧縮機１は、図２に示す如く、筐体２と、該筐体２内に収容され、吸込んだ空気を圧縮して吐出する機械としての圧縮機３と、該圧縮機３を駆動するモータ４と、前記圧縮機３が圧縮した空気を貯蔵するタンク５とにより大略構成されている。ここで、圧縮機３は、３気筒２段圧縮の大きな圧縮機となっている。従って、この圧縮機３を収める筐体２も大きく、その幅寸法は大きな寸法Ｗ1となっている。また、筐体２は、後述の操作パネル１１と共に操作パネル付き筐体を構成している。
【００２２】
この場合、筐体２は、ベースとなる長方形状の基台２Ａと、該基台２Ａの前側に立設された開，閉可能な扉からなる前面板２Ｂと、前記基台２Ａの後側に立設された後面板２Ｃと、前記基台２Ａの左側，右側に立設された左，右の側面板２Ｄ，２Ｅと、上側を閉塞する上面板２Ｆとにより大略構成されている。これらの基台２Ａ、前面板２Ｂ、後面板２Ｃ、側面板２Ｄ，２Ｅおよび上面板２Ｆは、例えば薄肉な金属板等に折曲加工、溶接加工を施すことにより直方体状のケースとして形成されている。
【００２３】
また、筐体２の内部は、圧縮機３、タンク５等を収容する収容空間６となっている。さらに、筐体２の前部上側には、後述の操作パネル１１を取付けるための取付口７が全幅に亘って形成されている。
【００２４】
１１は大型のパッケージ型圧縮機１に設けられた操作パネルで、該操作パネル１１は、筐体２の前部上側の取付口７に左，右方向に延びて取付けられている。この操作パネル１１は、後述する基板１７のデジタル表示器１７Ａ、各スイッチ１７Ｂ〜１７Ｅ等を操作のし易い所望の位置に配設するものである。また、操作パネル１１は、大きな筐体２の幅寸法Ｗ1に合せて左，右方向に長く形成された長尺仕様の操作パネルとして構成されている。そして、操作パネル１１は、図３ないし図８に示すように、後述のベースパネル１２、スライドパネル１３、固定ねじ１４，１６、補強板１５、基板１７等により大略構成されている。
【００２５】
１２は操作パネル１１の右側に配置されたパネル部材としてのベースパネルで、該ベースパネル１２は、樹脂材料を用いた成型加工により形成されている。また、ベースパネル１２は、図３に示すように、右側の端面をなす略三角形状の側面部１２Ａと、該側面部１２Ａの上部から左方向に延びた狭幅な上面部１２Ｂと、前記側面部１２Ａの下部から左方向に延びた狭幅な前面部１２Ｃと、前記上面部１２Ｂと前面部１２Ｃとの間に位置し、図６、図７に示すように円弧状に凹陥した斜面部１２Ｄと、該斜面部１２Ｄの右側寄りの広い範囲を平坦面として凹陥することにより形成された逆Ｄ字状のスイッチ取付面部１２Ｅと、前記上面部１２Ｂの中間部から左端部まで断面コ字状に凹設された上側レール受溝１２Ｆと、前記斜面部１２Ｄの下部に位置して左側寄りから左端部まで断面コ字状に凹設された下側レール受溝１２Ｇとにより大略構成されている。
【００２６】
また、筐体２内となるベースパネル１２の裏面には、図４、図５に示す如く、中間部から右側（側面部１２Ａ側）に位置して後述の基板１７を取付けるための基板取付ボス１２Ｈが複数本突設されている。また、ベースパネル１２の裏面には、側面部１２Ａの近傍位置と中間部から左側の位置とに後述の補強板１５を取付けるための補強板取付ボス１２Ｊが上，下方向に対をなして複数本突設されている。
【００２７】
また、ベースパネル１２の裏面には、補強板取付ボス１２Ｊの上，下方向中間部に位置して位置合せ用ボス１２Ｋが突設されている。この位置合せ用ボス１２Ｋは、補強板１５の位置合せ孔１５Ｃに嵌合することにより、該補強板１５に対して仮に位置合せすることができ、操作パネル１１の長さ調整を容易にするものである。
【００２８】
一方、スイッチ取付面部１２Ｅには、後述する基板１７のデジタル表示器１７Ａが配置される表示器用開口１２Ｌと、運転スイッチ１７Ｂ、運転選択スイッチ１７Ｄ等が配置される複数個のスイッチ用開口１２Ｍと、各種ランプ１７Ｆが配置される複数個のランプ用開口１２Ｎとが設けられている。
【００２９】
ここで、上側レール受溝１２Ｆ，下側レール受溝１２Ｇの溝底１２Ｆ1，１２Ｇ1の裏面側には、ねじ穴１２Ｐが長さ方向に間隔をもって複数個設けられている。そして、各ねじ穴１２Ｐは、各レール受溝１２Ｆ，１２Ｇの溝底１２Ｆ1，１２Ｇ1を貫通しない有底穴として形成することにより、図７に示す如く、当該ねじ穴１２Ｐの穴底に膜部１２Ｑを形成することができる。この膜部１２Ｑは、後述の固定ねじ１４を押付けることにより破壊することができ、該固定ねじ１４によるねじ締め作業を妨げるものではない。さらに、膜部１２Ｑは、ねじ穴１２Ｐを通じて塵埃等が筐体２内に侵入するのを防止することができ、また見栄えを良好にすることができる。
【００３０】
１３は操作パネル１１の左側に配置されたパネル部材としてのスライドパネルで、該スライドパネル１３は、前述したベースパネル１２と同様に樹脂材料を用いた成型加工により形成されている。また、スライドパネル１３は、図５に示すように、その右側部分がベースパネル１２の表面側に重ねて配置され、このベースパネル１２とスライドパネル１３は、後述する短尺仕様の操作パネル３１においても１つの操作パネルを形成する共通の主用部品となっている。
【００３１】
そして、スライドパネル１３は、左側の端面をなす略三角形状の側面部１３Ａと、該側面部１３Ａの前側の斜辺から右方向に延びた凸湾曲状の外面部１３Ｂと、該外面部１３Ｂの右側寄りに位置してベースパネル１２の斜面部１２Ｄに沿うように円弧状に緩やかに凹陥した凹面部１３Ｃと、前記外面部１３Ｂの裏面上側に位置して左，右方向に延び、ベースパネル１２の上側レール受溝１２Ｆ内にスライド可能に嵌合する上側レール１３Ｄと、前記外面部１３Ｂの裏面下側に位置して左，右方向に延び、ベースパネル１２の下側レール受溝１２Ｇ内にスライド可能に嵌合する下側レール１３Ｅと、側面部１３Ａの近傍に上，下方向に対をなして突設され後述の補強板１５を取付ける補強板取付ボス１３Ｆと、該各補強板取付ボス１３Ｆの間に突設され補強板１５の位置合せ孔１５Ｃに嵌合する位置合せ用ボス１３Ｇとにより大略構成されている。
【００３２】
また、上側レール１３Ｄ，下側レール１３Ｅには、長さ方向に延びる狭幅なねじ溝１３Ｄ1，１３Ｅ1が先端面に開口して形成されている。そして、ねじ溝１３Ｄ1，１３Ｅ1は、ベースパネル１２の膜部１２Ｑを壊してねじ穴１２Ｐに挿通した後述の固定ねじ１４が螺合するものである。また、左，右方向に延びるねじ溝１３Ｄ1，１３Ｅ1は、長さ方向で自由な位置に固定ねじ１４を螺着することができ、各パネル１２，１３の重なり代の調整を無段階で行うことができる。
【００３３】
一方、スライドパネル１３の左端側には、拡張部品取付部１３Ｈが設けられ、該拡張部品取付部１３Ｈは、例えば円形状の切り込み１３Ｈ1を有している。そして、拡張部品取付部１３Ｈは、図８に示す如く、切り込み１３Ｈ1の内側を押圧してくりぬくことにより、後述の拡張部品１８を取付けることができる。
【００３４】
１４はベースパネル１２とスライドパネル１３とを固定する複数本の固定ねじを示している。この複数本の固定ねじ１４は、後述する重なり代Ｓ1を調整した後に、ベースパネル１２とスライドパネル１３とを固定するものである。詳しくは、ベースパネル１２の表面側にスライドパネル１３を重ね合わせ、ベースパネル１２のレール受溝１２Ｆ，１２Ｇ内にスライドパネル１３のレール１３Ｄ，１３Ｅを嵌合した状態で、固定ねじ１４を膜部１２Ｑを壊してねじ穴１２Ｐに挿通し、レール１３Ｄ，１３Ｅのねじ溝１３Ｄ1，１３Ｅ1に螺着するものである。
【００３５】
ここで、ベースパネル１２とスライドパネル１３との取付関係について説明する。ベースパネル１２の上面部１２Ｂ、前面部１２Ｃ、斜面部１２Ｄの左側部位にスライドパネル１３の外面部１３Ｂ、凹面部１３Ｃの右側部位を表面側から重ね合わせる。このときには、ベースパネル１２のレール受溝１２Ｆ，１２Ｇ内にスライドパネル１３のレール１３Ｄ，１３Ｅが嵌合しているだけであるから、ベースパネル１２に対してスライドパネル１３を左，右方向（長さ方向）にスライド移動することができ、該各パネル１２，１３間の重なり代を小さい寸法Ｓ1に調整することができる。
【００３６】
そして、各パネル１２，１３の長さを長い寸法Ｌ1（図１、図４等参照）に調整したら、複数箇所のねじ穴１２Ｐに挿通した固定ねじ１４をレール１３Ｄ，１３Ｅのねじ溝１３Ｄ1，１３Ｅ1に螺着することにより、各パネル１２，１３を長い寸法Ｌ1で固定することができる。なお、本実施の形態では、パッケージ型圧縮機１の構造から各パネル１２，１３の長さ寸法Ｌ1は、筐体２の幅寸法Ｗ1とほぼ同じ寸法となっている。
【００３７】
１５はベースパネル１２、スライドパネル１３の裏側に取付けられる補強板で、該補強板１５は、ベースパネル１２とスライドパネル１３とを一体的に固定するもので、大型な筐体２に対応して長く形成されている。従って、補強板１５を基準にして、ベースパネル１２とスライドパネル１３を重ねたときの重なり代を小さい寸法Ｓ1とし、全体の長さを長い寸法Ｌ1とすることにより、大型な筐体２の幅寸法Ｗ1に合せることができる。そして、補強板１５は、短冊状の金属板からなり、右側には基板１７が配置される基板用開口１５Ａが設けられている。
【００３８】
また、補強板１５には、左，右方向の両端部と中央付近の複数箇所にねじ挿通孔１５Ｂが設けられ、これらねじ挿通孔１５Ｂのうち、左端部のねじ挿通孔１５Ｂがスライドパネル１３の補強板取付ボス１３Ｆに対応し、残りのねじ挿通孔１５Ｂがベースパネル１２の補強板取付ボス１２Ｊに対応している。
【００３９】
さらに、補強板１５には、左，右方向の両端部と中央付近の複数箇所に位置合せ孔１５Ｃが設けられ、これら位置合せ孔１５Ｃのうち、左端部の位置合せ孔１５Ｃがスライドパネル１３の位置合せ用ボス１３Ｇに対応し、残りの位置合せ孔１５Ｃがベースパネル１２の位置合せ用ボス１２Ｋに対応している。
【００４０】
これにより、補強板１５は、各位置合せ孔１５Ｃにベースパネル１２の位置合せ用ボス１２Ｋ、スライドパネル１３の位置合せ用ボス１３Ｇを嵌合させることにより、各パネル１２，１３による長さを長い寸法Ｌ1として筐体２の幅寸法Ｗ1に容易に合せることができる。この状態で、ねじ挿通孔１５Ｂに挿通した固定ねじ１６を補強板取付ボス１２Ｊ，１３Ｆに螺着することにより、各パネル１２，１３を位置決めしつつ、一体的に固定することができる。この状態では、樹脂材料から形成された各パネル１２，１３の強度を金属板からなる補強板１５によって高めることができる。
【００４１】
１７はベースパネル１２のスイッチ取付面部１２Ｅの裏側に取付けられる基板で、該基板１７は、その周囲が基板取付ボス１２Ｈにボルト止めされている。また、基板１７のベースパネル１２側には、図３に示すように、表示器用開口１２Ｌに対応する位置にデジタル表示器１７Ａが設けられ、各スイッチ用開口１２Ｍに対応する位置に運転スイッチ１７Ｂ、停止スイッチ１７Ｃ、運転選択スイッチ１７Ｄ、表示切換スイッチ１７Ｅが設けられている。また、各ランプ用開口１２Ｎに対応する位置に各種ランプ１７Ｆが設けられている。
【００４２】
なお、図８に示す如く、１８は切換スイッチ等の拡張部品で、該拡張部品１８は、オプションとして用意されるもので、切り込み１３Ｈ1に沿ってくりぬいた状態のスライドパネル１３の拡張部品取付部１３Ｈに取付けることができる。
【００４３】
次に、内部に小さな圧縮機、タンク等を収容するために小さな筐体２２を備えた小型のパッケージ型圧縮機２１について、図９ないし図１１を用いて説明する。
【００４４】
図９において、２１は小型のパッケージ型圧縮機で、該パッケージ型圧縮機２１は、大型のパッケージ型圧縮機１とほぼ同様に、筐体２２と、該筐体２２内に収容された圧縮機、モータ、タンク（いずれも図示せず）とにより大略構成されている。また、圧縮機は、小型のパッケージ型圧縮機２１に収容するものであるから、例えば単気筒、２気筒１段圧縮等の小型の圧縮機となっている。
【００４５】
さらに、小型のパッケージ型圧縮機２１に用いられる筐体２２は小さく、その幅寸法は小さな寸法Ｗ2となっている。また、筐体２２は、後述の操作パネル３１と共に別の操作パネル付き筐体を構成している。また、小型の筐体２２は、前述した大型の筐体２とほぼ同様に、基台２２Ａ、前面板２２Ｂ、後面板、左側面板２２Ｄ、右側面板２２Ｅ、上面板２２Ｆとにより大略構成されている。さらに、筐体２２の前部上側には、後述の操作パネル３１を取付けるための取付口２３が全幅に亘って形成されている。
【００４６】
３１は小型のパッケージ型圧縮機２１に設けられた操作パネルで、該操作パネル３１は、筐体２２の前部上側の取付口２３に左，右方向に延びて取付けられている。この操作パネル３１は、図９に示す如く、小さな筐体２２の幅寸法Ｗ2に合せて左，右方向に短く形成された短尺仕様の操作パネルとして構成されている。そして、短尺仕様の操作パネル３１は、図１０に示すように長尺仕様の操作パネル１１を構成する前述したベースパネル１２、スライドパネル１３、固定ねじ１４，１６、基板１７と、後述する短い補強板３２とにより大略構成されている。
【００４７】
３２は短尺仕様の操作パネル３１に設けられた短い補強板で、該補強板３２は、図１１に示す如く、ベースパネル１２、スライドパネル１３の裏側に固定ねじ１６を用いて取付けられている。この補強板３２は、ベースパネル１２とスライドパネル１３を重ねたときの重なり代を大きい寸法Ｓ2とし、全体の長さを短い寸法Ｌ2とすることにより、小型の筐体２２の幅寸法Ｗ2に合せた寸法となっている。また、短い補強板３２は、長さ寸法が異なる以外は長い補強板１５とほぼ同様に、基板用開口３２Ａ、ねじ挿通孔３２Ｂ、位置合せ孔３２Ｃを有している。
【００４８】
そして、短い補強板３２は、各位置合せ孔３２Ｃにベースパネル１２の位置合せ用ボス１２Ｋ、スライドパネル１３の位置合せ用ボス１３Ｇを嵌合させることにより、各パネル１２，１３による長さを短い寸法Ｌ2とし、小型の筐体２２の幅寸法Ｗ2に合せることができる。また、ねじ挿通孔３２Ｂに挿通した固定ねじ１６を補強板取付ボス１２Ｊ，１３Ｆに螺着することにより、各パネル１２，１３を位置決めしつつ、一体的に固定することができる。
【００４９】
なお、各パネル１２，１３の長さ寸法Ｌ2は、前述した長さ寸法Ｌ1とほぼ同様に、パッケージ型圧縮機２１の構造から筐体２２の幅寸法Ｗ2とほぼ同じ寸法となっている。
【００５０】
本実施の形態による長尺仕様の操作パネル１１と短尺仕様の操作パネル３１とは、上述の如き構成を有するもので、次に、それぞれの組立手順について説明する。
【００５１】
まず、長尺仕様の操作パネル１１を組立てる場合について説明する。この場合には、図４等に示すように、ベースパネル１２とスライドパネル１３との重なり代を小さい寸法Ｓ1とし、全体の長さを長い寸法Ｌ1とする。このときには、各パネル１２，１３の裏側から長い補強板１５をあてがい、各パネル１２，１３の位置合せ用ボス１２Ｋ，１３Ｇを補強板１５の位置合せ孔１５Ｃに合せることにより、簡単に、かつ正確に調整することができる。
【００５２】
そして、ベースパネル１２とスライドパネル１３の全長を長い寸法Ｌ1としたら、固定ねじ１４を膜部１２Ｑを壊してねじ穴１２Ｐに挿通し、レール１３Ｄ，１３Ｅのねじ溝１３Ｄ1，１３Ｅ1に螺着することにより、各パネル１２，１３が長さ方向に相対移動しないように固定することができる。
【００５３】
次に、各パネル１２，１３の裏側に補強板１５を取付けることにより、各パネル１２，１３を一体的に固定して強度を高めることができる。また、各パネル１２，１３の裏側に基板１７を取付けることにより、デジタル表示器１７Ａ、運転スイッチ１７Ｂ、停止スイッチ１７Ｃ、運転選択スイッチ１７Ｄ、表示切換スイッチ１７Ｅ、ランプ１７Ｆを配置することができる。
【００５４】
このようにして、長尺仕様の操作パネル１１を組立てたら、この操作パネル１１を筐体２の取付口７に取付けることにより、大型の操作パネル付き筐体を組立てることができる。
【００５５】
次に、短尺仕様の操作パネル３１を組立てる場合について説明する。この場合には、図１１等に示すように、ベースパネル１２とスライドパネル１３との重なり代を大きい寸法Ｓ2とし、全体の長さを短い寸法Ｌ2とする。このときには、各パネル１２，１３の裏側から短い補強板３２をあてがうことにより、簡単に、かつ正確に調整することができる。
【００５６】
そして、ベースパネル１２とスライドパネル１３の全長を短い寸法Ｌ2としたら、固定ねじ１４で固定し、補強板３２と基板１７を取付ける。このようにして、短尺様の操作パネル３１を組立てたら、この操作パネル３１を小型の筐体２２に取付けることにより、小型の操作パネル付き筐体を組立てることができる。
【００５７】
かくして、本実施の形態によれば、ベースパネル１２とスライドパネル１３とを用意し、該ベースパネル１２とスライドパネル１３とを重ねて配置するときの重なり代を調整することにより、該各パネル１２，１３による長さ寸法を適宜に変更する構成としている。従って、各パネル１２，１３間の重なり代を小さい寸法Ｓ1に調整するだけで、全長を長い寸法Ｌ1として長尺仕様の操作パネル１１を形成することができる。一方、各パネル１２，１３間の重なり代を大きい寸法Ｓ2に調整したときには、全長を短い寸法Ｌ2として短尺仕様の操作パネル３１を形成することができる。さらに、上記の長さ寸法Ｌ1，Ｌ2以外にも、無段階で調整することができる。
【００５８】
この結果、長尺仕様の操作パネル１１と短尺仕様の操作パネル３１とは、ベースパネル１２、スライドパネル１３、固定ねじ１４，１６、基板１７を共通部品として用いることができ、部品点数を削減することができ、また誤組付けを防止できるから、組立作業性の向上、製造コストの低減を図ることができる。
【００５９】
また、ベースパネル１２、スライドパネル１３の裏側には、補強板１５，３２を取付けているから、樹脂材料からなる各パネル１２，１３を裏側から強固に支持することができ、筐体２，２２に対して頑丈に取付けることができる。
【００６０】
また、ベースパネル１２とスライドパネル１３とが重なる部分は、固定ねじ１４を用いて固定する構成としている。これにより、各パネル１２，１３の重なり部分を密着させて塵埃等の侵入を防止することができ、筐体２内を清浄に保つことができる。また、振動による接触音を防止して、運転時の静粛性を高めることができる。
【００６１】
一方、長尺仕様の操作パネル１１には専用の補強板１５を用意し、短尺仕様の操作パネル３１には専用の補強板３２を用意しているから、補強板１５，３２により各パネル１２，１３の長さ寸法を筐体２，２２に合うように位置合せすることができる。これにより、各操作パネル１１，３１の全長を簡単に、かつ正確に行うことができるから、作業性を向上することができる。
【００６２】
また、ベースパネル１２とスライドパネル１３は、樹脂材料を用いて形成しているから、例えばベースパネル１２の表示器用開口１２Ｌ等を容易に設けることができる。また、樹脂成型の金型を構成する一部の部品を交換することにより、表示器用開口１２Ｌ等の位置、形状等も容易に変更することができる。しかも、成型時に着色料を混ぜて樹脂に着色することができるから、塗装作業やシールの貼付け作業を省略することができ、生産性を向上することができる。
【００６３】
さらに、ベースパネル１２とスライドパネル１３とを固定するときに、固定ねじ１４が挿通されるねじ穴１２Ｐの穴底には、膜部１２Ｑを形成しているから、使用していないねじ穴１２Ｐを通じて塵埃等が筐体２，２２内に侵入するのを防止することができる。また、外観上の見栄えを良好にすることができる。
【００６４】
なお、実施の形態では、ベースパネル１２とスライドパネル１３の２枚を重ね合わせる構成としている。しかし、本発明はこれに限らず、例えば３枚以上のパネル部材を用意し、隣合うパネル部材を重ね合わせる構成としてもよい。
【００６５】
また、実施の形態では、大型のパッケージ型圧縮機１に取付ける操作パネル１１と、小型のパッケージ型圧縮機２１に取付ける操作パネル３１との２種類を、共通の部品を用いて形成した場合を例に挙げて説明した。しかし、本発明はこれに限らず、パッケージ型圧縮機の大きさが３種類以上となる場合には、これに合わせて操作パネルの大きさ（長さ）を３種類以上に調整できるようにすればよいものである。
【００６６】
また、実施の形態では、ベースパネル１２とスライドパネル１３を樹脂材料によって形成した場合を例示した。しかし、本発明はこれに限るものではなく、例えばベースパネル１２とスライドパネル１３のいずれか一方を金属材料により形成してもよく、また両方を金属材料により形成してもよい。
【００６７】
さらに、実施の形態では、パッケージ型圧縮機１，２１の外殻をなす筐体２，２２を例に挙げ、この筐体２，２２の収容空間６内に圧縮機３、モータ４、タンク５等を収容した場合を例に挙げた。しかし、本発明はこれに限らず、例えば真空ポンプ等の他の機械を筐体２，２２内に収容する構成としてもよい。
【図面の簡単な説明】
【００６８】
【図１】本発明の実施の形態による操作パネル付き筐体を用いた大型のパッケージ型圧縮機を示す正面図である。
【図２】図１のパッケージ型圧縮機を前面板を取外した状態で示す正面図である。
【図３】長尺仕様の操作パネルを表面側から示す外観斜視図である。
【図４】長尺仕様の操作パネルを補強板、基板を分解した状態で示す分解斜視図である。
【図５】ベースパネルとスライドパネルを分解した状態で示す分解斜視図である。
【図６】ベースパネルとスライドパネルとを固定した状態を図３中の矢示VI−VI方向からみた断面図である。
【図７】図６のベースパネル、スライドパネル、固定ねじを分解して示す分解断面図である。
【図８】スライドパネルに拡張部品を取付ける状態を示す分解斜視図である。
【図９】操作パネル付き筐体を用いた小型のパッケージ型圧縮機を示す正面図である。
【図１０】短尺仕様の操作パネルを表面側から示す外観斜視図である。
【図１１】短尺仕様の操作パネルを補強板、基板を分解した状態で示す分解斜視図である。
【符号の説明】
【００６９】
１  大型のパッケージ型圧縮機
２  大型の筐体
３  圧縮機（機械）
６  収容空間
１１  長尺仕様の操作パネル
１２  ベースパネル（パネル部材）
１３  スライドパネル（パネル部材）
１４，１６  固定ねじ
１５，３２  補強板
１７  基板
１７Ａ  デジタル表示器
１７Ｂ  運転スイッチ
１７Ｃ  停止スイッチ
１７Ｄ  運転切換スイッチ
１７Ｅ  表示切換スイッチ
１７Ｆ  ランプ
２１  小型のパッケージ型圧縮機
２２  小型の筐体
３１  短尺仕様の操作パネル
Ｗ1，Ｗ2  筐体の幅寸法
Ｓ1，Ｓ2  重なり代
Ｌ1，Ｌ2  操作パネルの長さ寸法
【図１】
0004602887.tif 000002
【図２】
0004602887.tif 000003
【図３】
0004602887.tif 000004
【図４】
0004602887.tif 000005
【図５】
0004602887.tif 000006
【図６】
0004602887.tif 000007
【図７】
0004602887.tif 000008
【図８】
0004602887.tif 000009
【図９】
0004602887.tif 000010
【図１０】
0004602887.tif 000011
【図１１】
0004602887.tif 000012